(57)【特許請求の範囲】
【請求項１】
表示部にタッチパネルを備え、セルフタイマによる撮影を行うことができる撮影装置であって、
前記タッチパネル上の任意の位置へのタッチの開始から終了までのドラッグ操作状況を検出する操作状況検出手段と、
前記操作状況検出手段によって検出された前記ドラッグ操作状況に応じて、セルフタイマの時間及び撮影連写枚数のうちのいずれかを、第１の撮影条件として更新する撮影条件更新手段と、
前記撮影条件更新手段が前記第１の撮影条件を更新すると、前記表示部上の所定の固定位置、及び前記ドラッグ操作状況に追随する前記表示部上の位置のうちのいずれかに、当該更新された第１の撮影条件をその都度更新しながら表示する制御を行う表示制御手段と、
更新された前記第１の撮影条件を、撮影を行う際の撮影条件として設定する撮影条件設定手段と、
を備えることを特徴とする撮影装置。
【請求項２】
前記操作状況検出手段は、前記ドラッグ操作状況として、第１の方向にドラッグ操作されたドラッグ量を検出し、
前記撮影条件更新手段は、前記操作状況検出手段が検出した前記第１の方向へのドラッグ量に応じて、前記第１の撮影条件を更新する、
ことを特徴とする請求項１に記載の撮影装置。
【請求項３】
前記操作状況検出手段は、前記ドラッグ操作状況として更に、前記第１の方向とは異なる方向である第２の方向にドラッグ操作されたドラッグ量を検出し、
前記撮影条件更新手段は、前記操作状況検出手段が検出した前記第２の方向へのドラッグ量に応じて更に、セルフタイマの時間及び撮影連写枚数のうちの前記第１の撮影条件とは異なる他方を第２の撮影条件として更新し、
前記表示制御手段は、前記第１の撮影条件に加えて、前記撮影条件更新手段が更新する前記第２の撮影条件を前記タッチの開始位置に対応する前記表示部上の位置、及び前記ドラッグ操作状況に追随する前記表示部上の位置のうちのいずれかに、逐次更新しながら表
示する制御を、更に行う、
ことを特徴とする請求項２に記載の撮影装置。
【請求項４】
前記タッチパネルへのタッチの開始位置を検出する開始位置検出手段を、更に備え、
前記操作状況検出手段は、前記ドラッグ操作状況として、前記開始位置検出手段が検出したタッチの開始位置と現在のタッチ位置とに基づいて、前記第１の方向へのドラッグ量および前記第２の方向へのドラッグ量を検出する、
ことを特徴とする請求項３に記載の撮影装置。
【請求項５】
表示部にタッチパネルを備え、セルフタイマによる撮影を行うことができる撮影装置で
あって、
前記タッチパネル上の固定された位置、及び任意の位置のうちのいずれかへのタッチの開始から終了までのドラッグ操作状況を検出する操作状況検出手段と、
前記操作状況検出手段によって検出された前記ドラッグ操作状況に応じて、セルフタイマの時間及び撮影連写枚数のうちのいずれかを、第１の撮影条件として更新する撮影条件更新手段と、
前記撮影条件更新手段が前記第１の撮影条件を更新すると、前記表示部上の所定の固定位置、及び前記ドラッグ操作状況に追随する前記表示部上の位置のうちのいずれかに、当該更新された第１の撮影条件をその都度更新しながら表示する制御を行う表示制御手段と、
更新された前記第１の撮影条件を、撮影を行う際の撮影条件として設定する撮影条件設定手段と、
を備え、
前記操作状況検出手段は、前記ドラッグ操作状況として、第１の方向にドラッグ操作されたドラッグ量を検出し、
前記撮影条件更新手段は、前記操作状況検出手段が検出した前記第１の方向へのドラッグ量に応じて、前記第１の撮影条件を更新し、
前記タッチパネルへのタッチの開始位置を検出する開始位置検出手段と、
前記開始位置検出手段が検出したタッチの開始位置に応じて前記第１の方向を変更する制御を行う検出方向制御手段と、を更に備え、
前記操作状況検出手段は、前記検出方向制御手段が変更した前記第１の方向へのドラッグ量を検出する、
ことを特徴とする撮影装置。
【請求項６】
前記表示制御手段は、前記検出方向制御手段が変更した前記第１の方向を案内する表示を前記表示部に表示する制御を行う、
ことを特徴とする請求項５に記載の撮影装置。
【請求項７】
前記撮影条件設定手段は、前記開始位置検出手段が検出したタッチの開始位置に応じた撮影対象の位置を、オートフォーカスの対象位置として設定する、
ことを特徴とする請求項５に記載の撮影装置。
【請求項８】
前記操作状況検出手段は、前記ドラッグ操作状況として更に、前記第１の方向とは異なる方向である第２の方向へ続けてドラッグ操作されたことを検出し、
前記検出方向制御手段は、前記開始位置検出手段が検出したタッチの開始位置に応じて更に、前記第２の方向を変更する制御を行い、
前記操作状況検出手段は更に、前記検出方向制御手段が変更した前記第２の方向へのドラッグ量を検出する、
ことを特徴とする請求項５に記載の撮影装置。
【請求項９】
前記表示制御手段は、前記検出方向制御手段が変更した前記第２の方向を案内する表示を前記表示部に表示する制御を行う、
ことを特徴とする請求項８に記載の撮影装置。
【請求項１０】
当該撮影装置の姿勢を検出する姿勢検出手段と、
前記姿勢検出手段が検出した姿勢に応じて、前記表示部に対する第１の方向を変更する制御を行う検出方向制御手段と、を更に備え、
前記操作状況検出手段は、前記検出方向制御手段が変更した前記第１の方向へのドラッグ量を検出する、
ことを特徴とする請求項２に記載の撮影装置。
【請求項１１】
前記操作状況検出手段がドラッグ操作の終了を検出した際に、設定された撮影条件で撮影する制御を行う撮影制御手段を、更に備える、
ことを特徴とする請求項１ないし請求項１０のいずれか１項に記載の撮影装置。
【請求項１２】
表示部にタッチパネルを備え、セルフタイマによる撮影を行うことができる撮影装置が実行する撮影条件設定方法であって、
前記タッチパネル上の任意の位置へのタッチの開始から終了までのドラッグ操作状況を検出する操作状況検出処理と、
前記操作状況検出処理で検出した前記ドラッグ操作状況に応じて、セルフタイマの時間及び撮影連写枚数のうちのいずれかを、第１の撮影条件として更新する撮影条件更新処理と、
前記撮影条件更新処理が前記第１の撮影条件を更新すると、前記表示部上の所定の固定位置、及び前記ドラッグ操作状況に追随する前記表示部上の位置のうちのいずれかに、当該更新された第１の撮影条件をその都度更新しながら表示する制御を行う表示制御処理と、
更新された前記第１の撮影条件を、撮影を行う際の撮影条件として設定する撮影条件設定処理と、
を含むことを特徴とする撮影条件設定方法。
【請求項１３】
表示部にタッチパネルを備え、セルフタイマによる撮影を行うことができる撮影装置を制御するコンピュータに、
前記タッチパネル上の任意の位置へのタッチの開始から終了までのドラッグ操作状況を検出する操作状況検出機能、
前記操作状況検出機能で検出した前記ドラッグ操作状況に応じて、セルフタイマの時間及び撮影連写枚数のうちのいずれかを、第１の撮影条件として更新する撮影条件更新機能、
前記撮影条件更新機能が前記第１の撮影条件を更新すると、前記表示部上の所定の固定位置、及び前記ドラッグ操作状況に追随する前記表示部上の位置のうちのいずれかに、当該更新された第１の撮影条件をその都度更新しながら表示する制御を行う表示制御機能、
更新された前記第１の撮影条件を、撮影を行う際の撮影条件として設定する撮影条件設定機能、
を実現させるための撮影条件設定プログラム。
【発明の詳細な説明】
【技術分野】
【０００１】
本発明は、モニタ画面を備えた撮影装置、撮影条件設定方法及び撮影条件設定プログラムに関する。
【背景技術】
【０００２】
一般に、カメラなどの撮影装置には、シャッターボタンを押下げ後に、所定時間待って撮影を行うセルフタイマ機能が搭載されており、撮影者自身を含む集合写真を撮影する場合などで広く使用されている。従来は、撮影開始までの時間は、固定された時間（例えば、１０秒）であった。セルフタイマ機能の使い勝手をよくするために、撮影状況に応じて撮影開始までの時間を変更することを可能にする技術もある（例えば、特許文献１を参照）。
【先行技術文献】
【特許文献】
【０００３】
【特許文献１】特開２００５−８６５５０８号公報
【発明の概要】
【発明が解決しようとする課題】
【０００４】
上記の先行技術によれば、セルフタイマの設定時間の変更を行うことができるが、必ずしも使い勝手のよいものではないという問題があった。
本発明の目的は、セルフタイマの設定に代表される撮影条件を容易に設定可能な撮影装置、撮影制御方法及びプログラムを提供することにある。
【課題を解決するための手段】
【０００５】
本願発明は、上記目的を達成するため、
表示部にタッチパネルを備え、セルフタイマによる撮影を行うことができる撮影装置であって、
前記タッチパネル上の任意の位置へのタッチの開始から終了までのドラッグ操作状況を検出する操作状況検出手段と、
前記操作状況検出手段によって検出された前記ドラッグ操作状況に応じて、セルフタイマの時間及び撮影連写枚数のうちのいずれかを、第１の撮影条件として更新する撮影条件更新手段と、
前記撮影条件更新手段が前記第１の撮影条件を更新すると、前記表示部上の所定の固定位置、及び前記ドラッグ操作状況に追随する前記表示部上の位置のうちのいずれかに、当該更新された第１の撮影条件をその都度更新しながら表示する制御を行う表示制御手段と、
更新された前記第１の撮影条件を、撮影を行う際の撮影条件として設定する撮影条件設定手段と、
を備えることを特徴とする撮影装置である。
【発明の効果】
【０００８】
本発明によれば、カメラなどの撮影装置において、セルフタイマ等の撮影条件の設定を容易に設定・変更できるので、撮影装置の使い勝手を向上することができる。
【図面の簡単な説明】
【０００９】
【図１】第１、第２実施形態に共通ずる撮影装置の構成を示す図である。
【図２】第１実施形態のセルフタイマの時間と撮影連写枚数の設定の概要を示す図である。
【図３】第１実施形態の機能ブロックを示す図である。
【図４】第１実施形態の設定処理の全体動作のフロー図である。
【図５】第１実施形態の検出方向特定処理の詳細フロー図である。
【図６】第１実施形態の撮影条件設定処理の詳細フロー図である。
【図７】第２実施形態のセルフタイマの時間と撮影連写枚数の設定の概要を示す図である。
【図８】第２実施形態のディスプレイの表示領域の分割状態を示す図である。
【図９】第２実施形態の機能ブロックを示す図である。
【図１０】第２実施形態の設定処理の全体動作のフロー図である。
【図１１】第２実施形態の検出方向特定処理の詳細フロー図である。
【図１２】第２実施形態の撮影条件設定処理の詳細フロー図である。
【発明を実施するための形態】
【００１０】
以下、本発明の実施形態について、図面を参照しながら詳細に説明する。
第１実施形態と第２実施形態に共通する撮影装置は、静止画像の通常撮影とセルフタイマによる撮影を行える他に、動画像の撮影も可能なデジタルカメラであり、その構成を図１により説明する。
【００１１】
制御部１０は、後述する操作部１８からの撮像指示により、撮像部２０で撮像した被写体像を撮影画像として撮像情報記録部１７に記録する撮影機能や、撮像情報記録部１７の撮影画像をプレビューする機能等、撮影装置の一連の機能を実現・制御するＣＰＵ（Central Processing Unit）を有している。
【００１２】
記憶部１３は、ＲＯＭ（Read Only Memory）およびＲＡＭ（Random Access Memory）からなり、制御部１０で実行されるプログラム１４と、制御部１０の動作に必要となる変数や各種のフラグ情報や一時的な撮影画像等を記憶するワークメモリ１５と、撮影条件や操作量を算出するための設定値算出テーブル１６を含んで構成されている。
撮像情報記録部１７は、ＳＤカード等の可搬型メモリ（記録メディア）であり、撮影画像を記憶する。
【００１３】
撮像部２０は、ズームやＡＦ（Auto Focus）に対応した光学レンズと、ＣＣＤ（Charge Coupled Device）やＣＭＯＳ（Complementary Metal Oxide Semiconductor）イメージセンサ等のデジタル撮像素子から構成されている。光学レンズの移動や、フォーカスは、制御部１０により制御されている。また、撮像部２０で撮像した撮像画像は、制御部１０により画像処理されて、撮影画像として撮像情報記録部１７に記録される。
【００１４】
ディスプレイ１２は、液晶等の表示素子であり、画像や文字を表示する表示部である。このディスプレイ１２は、撮像部２０で撮像される撮像画像（ライブビュー画像）のモニタ表示や撮像情報記録部１７に記録された撮影画像のプレビュー表示を行う。また、ディスプレイ１２には、詳細を後述する撮影条件の設定画面が表示される。
このディスプレイ１２には、タッチパネル１１が積層配置され、ディスプレイ１２に表示された設定画面や操作画面に合わせて、撮影者がタッチ入力可能に構成されている。
【００１５】
タッチパネル１１は、静電容量方式、抵抗膜方式、電磁誘導方式などにより、指等によるタッチ位置の座標検出を行う。
制御部１０は、連続してタッチ座標の検出を行うことにより、タップやダブルタップの押す動作や長押し動作（ロングタップ）、ドラッグ（タッチしたまま指をスライドする動作）等の操作種別を検出することができる。また、多点入力可能なタッチパネル１１であれば、制御部１０は、指を狭める・広げる（ピンチイン・アウト）の操作も検出できる。
【００１６】
第１、第２実施形態の撮影装置は、タッチパネル１１の他に、電源スイッチやシャッターボタンやズームレバーやメニュー選択キー等のメカニカルな操作部１８を持つ。なお、シャッターボタンやズームレバーやメニュー選択キーは、タッチパネル１１により機能代替してもよい。
さらに、第１、第２実施形態の撮影装置は、ジャイロセンサ２１を搭載し、撮影装置の設置方向を検出するようにしている。これにより、制御部１０は、タッチパネル１１のドラッグの絶対方向を判定することができる。なお、第１、第２実施形態の撮影装置は、ジャイロセンサ２１の代わりに地磁気センサや加速度センサによって、自身の設置方向を検出してもよい。
【００１７】
電源部１９は、上述した撮影装置の各部に、電源供給を行う。
【００１８】
つぎに、タッチパネル１１で下方向ドラッグと右方向ドラッグを順不同に行い、セルフタイマの時間と撮影連写枚数の設定を行う例（第１実施形態）と、下方向ドラッグと右方向ドラッグを順番に行って、それぞれのドラッグでセルフタイマの時間設定と撮影連写枚数の設定を行う例（第２実施形態）を示して、本発明により、セルフタイマに代表される撮影条件を容易に設定可能なことを明らかにする。
【００１９】
《第１実施形態》
第１実施形態の撮影装置は、セルフタイマの時間を設定するとセルフタイマ撮影時に所定時間の経過の後に撮影を行い、撮影連写枚数を設定するとセルフタイマ撮影時に指定された枚数の連写を行う。また第１実施形態の撮影装置は、セルフタイマ時間と撮影連写枚数を設定すると、セルフタイマ撮影時に所定時間の経過の後に設定された撮影枚数の連写を行うものである。
まず、図２〜図６により、順不同の下方向／右方向ドラッグによりセルフタイマの時間と撮影連写枚数の設定を行う例を詳細に説明する。図２は、セルフタイマの時間と撮影連写枚数の設定の概要を示す図であり、図３は、機能ブロックを示す図であり、図４〜図６は、プログラムフロー図である。
【００２０】
図２（ａ）〜（ｉ）は、ディスプレイ１２（タッチパネル１１）をタッチして、２つの方向の指２６のドラッグによりセルフタイマの時間設定と撮影連写枚数の設定を行う第１実施形態の操作の概要を説明する図である。また、図示していないが、このディスプレイ１２には、撮像部２０で撮像されるライブビュー画像が常に表示されている。
第１実施形態のセルフタイマの時間と撮影連写枚数の設定は、図２（ａ）で示すように、設定アイコン２５で示されるセルフタイマ設定を指２６でタッチすると処理が開始される。
図２（ａ）の画面において、撮影者が指２６を下方向にドラッグすると、図２（ｂ）を介して図２（ｃ）の画面に遷移する。
図２（ｂ）の画面には、下方向にドラッグしていることを示すドラッグマーク７４と、右方向にドラッグしていないことを示す円形のドラッグマーク７５とが表示される。ドラッグマーク７４は、設定アイコン２５の位置（初期タッチ位置）から現在のタッチ位置までの下方向成分の長さで表示される。このドラッグマーク７５上には、ドラッグ量に応じて設定されるセルフタイマの時間「４」の設定値が逐次更新されながら表示される。
図２（ｃ）の画面には、ドラッグマーク７５上にドラッグ量に応じて設定されるセルフタイマの時間「８」の設定値が逐次更新されながら表示される。このとき指２６のタッチが離れたならば、セルフタイマの時間は８秒に設定され、撮影連写枚数は１枚（デフォルト）のままである。以下、いずれの場合であっても、セルフタイマの時間設定は、指２６のタッチが離れた時（ドラッグ終了）の値となる。
【００２１】
図２（ａ）の画面において、撮影者が指２６を右方向にドラッグすると、図２（ｄ）を介して図２（ｇ）の画面に遷移する。
図２（ｄ）の画面には、右方向にドラッグしていることを示すドラッグマーク７５と、ドラッグ量に応じて設定されるセルフタイマの時間設定と撮影連写枚数の設定値の組み合わせ「０×２」が、逐次更新されながら表示される。ドラッグマーク７５は、設定アイコン２５の位置（初期タッチ位置）から現在のタッチ位置までの右方向成分の長さで表示される。
図２（ｇ）の画面には、ドラッグ量に応じて設定されるセルフタイマの時間設定と撮影連写枚数の設定値の組み合わせ「０×３」が逐次更新されながら表示される。このとき指２６のタッチが離れたならば、セルフタイマの時間は０秒に設定され、撮影連写枚数は３枚に設定される。
【００２２】
図２（ｃ）の画面において、撮影者が指２６を右方向にドラッグすると、図２（ｆ）を介して図２（ｉ）の画面に遷移する。これは、下方向と右方向を組み合わせてドラッグした場合に相当する。
図２（ｆ）の画面には、下方向にドラッグしていることを示すドラッグマーク７４と、右方向にドラッグしていることを示すドラッグマーク７５とが表示される。更にドラッグ量に応じて設定されるセルフタイマの時間設定と撮影連写枚数の設定値の組み合わせ「８×２」が、逐次更新されながら表示される。
図２（ｉ）の画面には、ドラッグ量に応じて設定されるセルフタイマの時間設定と撮影連写枚数の設定値の組み合わせ「８×３」が逐次更新されながら表示される。このとき指２６のタッチが離れたならば、セルフタイマの時間は８秒に設定され、撮影連写枚数は３枚に設定される。
同様に図２（ｂ）の画面において、撮影者が指２６を右方向にドラッグすると、図２（ｅ）を介して図２（ｈ）の画面に遷移する。
図２（ｄ）の画面において、撮影者が指２６を下方向にドラッグすると、図２（ｅ）を介して図２（ｆ）の画面に遷移する。
図２（ｇ）の画面において、撮影者が指２６を下方向にドラッグすると、図２（ｈ）を介して図２（ｉ）の画面に遷移する。このように下方向と右方向を組み合わせてドラッグした場合には、ドラッグ量に応じて設定されるセルフタイマの時間と撮影連写枚数が逐次更新されながら画面に表示される。
【００２３】
図２（ａ）〜（ｉ）のいずれの画面においても、セルフタイマの時間設定と撮影連写枚数は、指２６のタッチが離れた時（ドラッグが終了）の値となる。
なお、ドラッグの順番は下方向、右方向の順には限定されず、図２の（ｅ）の画面への遷移順は、図２（ｄ）（ｅ）の順であってもよい。また、図２（ｉ）の画面への遷移は、図２（ｄ）（ｇ）（ｈ）（ｉ）の順、図２（ｄ）（ｅ）（ｆ）（ｉ）の順などであってもよく、下方向、右方向の順をどのように組み合わせてもよい。
なお、図示省略したが、図２（ａ）と図２（ｂ）、図２（ｄ）と図２（ｅ）、図２（ｇ）と図２（ｈ）の間では、セルフタイマ時間２秒が、逐次更新されながら画面に表示される。同様に図２（ｂ）と図２（ｃ）、図２（ｅ）と図２（ｆ）、図２（ｈ）と図２（ｉ）の間では、セルフタイマ時間６秒が、逐次更新されながら画面に表示される。
【００２４】
上記のように、本実施形態のセルフタイマの設定は、設定アイコン２５を基点に指２６がドラッグしたときの、ドラッグの２つの方向の量のそれぞれをセルフタイマの時間と撮影連写枚数とするものである。他の言い方をすれば、設定アイコン２５の位置を原点に、指２６のタッチが離れた時の２次元座標をセルフタイマの時間と撮影連写枚数に対応づけるものである。
【００２５】
上記の説明では、セルフタイマ機能のタイマ時間と撮影連写枚数の設定の例を示したが、これ以外にも、２つの設定値を要する撮影条件設定に適用可能である。具体的には、自動露出の撮影モードにおいて、下方向のドラッグで絞り優先・シャッター優先の自動露出のモードを選択し、右方向のドラッグで設定絞り・シャッター速度を指定するようにする。このとき、下方向の選択肢にプログラム自動露出のような他の設定値が不要な選択肢を含めてもよい。
【００２６】
上記のように、指２６のドラッグにより設定値を選択するため、ドラッグの基点は、図２の設定アイコン２５のように、ディスプレイ１２（タッチパネル１１）の角部近傍にすることが望ましい。ドラッグ基点を角部近傍にすることで、ドラッグ可能な距離を長くできるので、撮影条件の各パラメータに対するドラッグ位置の指定が粗くてもよくなり、タッチパネル１１の検出精度が良くない場合でも好適に撮影条件パラメータを設定することができる。また、選択肢の数を増やすこともできる。
【００２７】
つぎに、図３の機能ブロック図により、制御部１０で処理されるセルフタイマ撮影の機能ブロック３０の制御内容を説明する。
図３は、図２の設定アイコン２５をタッチして処理を開始した後のセルフタイマの時間設定と撮影連写枚数の設定を行う構成を示している。
【００２８】
操作状況検出手段３１は、タッチパネル１１からドラッグしている指２６のタッチ座標を取得する。一般に、タッチ座標は、タッチパネルの角部を原点とした直交座標となっている。
この時、操作状況検出手段３１は、姿勢検出手段３２から撮影装置の設置方向を取得し、必要に応じてタッチ座標の座標変換を行う。本明細書では、ディスプレイ１２のメニュー画面等の座標を画面情報座標と呼ぶ。
【００２９】
より詳細には、姿勢検出手段３２がジャイロセンサ２１のセンサ信号に基づいて、重力方向を判定し、撮影装置が縦持ちされているか否かを判定する。縦持ちしていると判定した場合には、タッチ座標が９０度回転するため、タッチ座標の座標軸を変更して、画面情報座標を得る。
【００３０】
操作状況検出手段３１は、撮影装置の姿勢を考慮して、記憶部１３の設定値算出テーブル１６に含まれる以下の計算式（１）（２）を利用し、設定アイコン２５をドラッグ基点として、ドラッグの第１方向ドラッグ量（下方向ドラッグ量）と第２方向ドラッグ量（右方向ドラッグ量）を以下のように算出する。
【００３１】
ドラッグの第１方向ドラッグ量（下方向ドラッグ量）は、つぎの式（１）で示される。
ｉｎｔ（（ｙｎ−ｙａ）／ａ１）×２    ……（１）
ドラッグの第２方向ドラッグ量（右方向ドラッグ量）は、つぎの式（２）で示される。
ｉｎｔ（（ｘｎ−ｘａ）／ｂ１）        ……（２）
ここで、ｘａ，ｙａは、設定アイコン２５の中心の画面情報座標（ｘａ，ｙａ）であり、ｘｎ，ｙｎは、ドラッグ中の指２６の画面情報座標（ｘｎ，ｙｎ）である。そして、ａ１，ｂ１は、画面情報座標とドラッグ量の変換のための比例定数である。また、ｉｎｔは、引数を整数値に丸める関数である。
なお、計算式（１）の式で「２」を乗算しているのは、設定されるセルフタイマ時間を２の倍数とするためであるが、「２」を乗算しなくてもよく、また他の自然数を乗算してもよい。
【００３２】
撮影条件更新手段３３は、操作状況検出手段３１で取得したドラッグの第１方向ドラッグ量と第２方向ドラッグ量を、それぞれ、計算式（１）（２）を使用して、設定する機能の第１制御条件と第２制御条件に変換する。具体的には、設定する機能が、セルフタイマであり、第１制御条件がセルフタイマ時間（０秒、２秒、４秒、６秒、８秒、…）のインデックス、第２制御条件が撮影連写枚数（１枚、２枚、３枚、…）のインデックスである。
【００３３】
上記の操作状況検出手段３１と撮影条件更新手段３３は、記憶部１３の設定値算出テーブル１６を利用して算出する。
【００３４】
撮影条件更新手段３３は、算出した第１制御条件と第２制御条件を、ドラッグに応じて表示制御手段３４に通知する。
表示制御手段３４は、第１制御条件と第２制御条件を、セルフタイマ時間の値と撮影連写枚数の値として、ディスプレイ１２に、図２（ａ）〜（ｉ）の各画面に示したようにセルフタイマ時間と撮影連写枚数を設定値の大きさを把握できるような視覚的な表示を逐次更新しながら行う。これにより、指２６のドラッグに応じてセルフタイマ時間と撮影連写枚数が逐次更新しながら表示されるので、所望の設定を容易に行うことができる。
【００３５】
撮影条件設定手段３５は、指２６がタッチパネル１１から離れたドラッグの終点における第１制御条件と第２制御条件を、撮影条件更新手段３３から取得し、セルフタイマ撮影の撮影条件として、記憶部１３の例えばワークメモリ１５に格納する。
【００３６】
撮影制御手段３６は、操作部１８のシャッターボタンの押下や、ディスプレイ１２に表示されたシャッターボタンアイコンがタッチされたことをタッチパネル１１により検出した時に、撮影条件設定手段３５により記憶部１３に格納されたセルフタイマ時間と撮影連写枚数の設定に基づいて、撮像部２０の撮影制御を行う。
【００３７】
つぎに、制御部１０がプログラム動作として、図３により説明したセルフタイマの設定機能を実現する場合の処理フローを図４〜図６に示す。
図４は、第１実施形態の設定処理の全体動作のフロー図である。適宜、図３を参照して説明する。
【００３８】
まず、操作状況検出手段３１は、セルフタイマの設定アイコン２５がタッチされたか否かを検出し（Ｓ４１）、タッチされていない場合には（Ｓ４１のＮｏ）、別の設定アイコンなどがタッチされたと判定して、そのタッチした位置に対応する他の操作に応じた処理を行い（Ｓ４３）、処理を終了する。
【００３９】
Ｓ４１で、操作状況検出手段３１がセルフタイマの設定アイコン２５がタッチされたことを検出したときには（Ｓ４１のＹｅｓ）、検出方向特定処理（Ｓ４２）を行う。
この検出方向特定処理（Ｓ４２）の詳細フローは、図５により説明するが、撮影装置が縦持ちされている場合に、タッチパネル１１のタッチ座標を９０度回転させて、ディスプレイ１２の画面情報座標に変換し、更にドラッグの下方向・右方向の向きと座標軸の対応付けを行う。
【００４０】
つぎに、操作状況検出手段３１が下方向或いは右方向へのドラッグ操作を検出したか否かを判定する（Ｓ４４）。この判定は、セルフタイマの設定アイコン２５より上方向または左方向の画面領域へのドラッグを除外するために実施する。Ｓ４４で、上方向或いは左方向へのドラッグ操作を検出しなかったときには（Ｓ４４のＮｏ）、処理を終了する。
【００４１】
Ｓ４４で、操作状況検出手段３１が下方向へのドラッグ操作または右方向へのドラッグ操作を検出したときには（Ｓ４４のＹｅｓ）、撮影条件設定手段３５は、撮影条件設定処理（Ｓ４５）を行う。
この撮影条件設定処理（Ｓ４５）の詳細フローは、図６により説明するが、ドラッグしている指２６の位置に対応したセルフタイマ時間と撮影連写枚数の設定値を逐次更新しながら表示するとともに、撮影者がドラッグを終了してタッチパネル１１から指２６を離した時に、指２６がタッチパネル１１から離れたときの指２６の位置に対応したセルフタイマ時間と撮影連写枚数をセルフタイマ撮影の撮影条件とする処理である。
【００４２】
Ｓ４５のつぎに、表示制御手段３４がディスプレイ１２の設定値の表示を消去する処理を行い（Ｓ４６）、処理を終了する。Ｓ４６の処理により、ディスプレイ１２に表示したセルフタイマ時間と撮影連写枚数の設定値の表示が消去されて、必要に応じて、他の処理を行えるようにする。
【００４３】
つぎに、図５により、Ｓ４２（図４を参照）の検出方向特定処理の詳細フローの内容を説明する。
まず、姿勢検出手段３２は、ジャイロセンサ２１からのセンサ信号に基づき、撮影装置の姿勢を検出する処理を行う（Ｓ４２１）。この処理により、撮影装置が、縦持ちされているか否かを検出する。
【００４４】
Ｓ４２２で、姿勢検出手段３２が検出した撮影装置の姿勢に応じて、操作状況検出手段３１は、画面に対するｘ軸・ｙ軸の方向を変更する。つまり、Ｓ４２１で、撮影装置が縦持ちされていると検出されれば、タッチパネル１１のタッチ座標を９０度回転させて、ディスプレイ１２の画面情報座標に変換する。
なお、縦持ちには、撮影装置の左端を上方にする場合と撮影装置の右端を上方にする場合の２つがあるので、操作状況検出手段３１は、その方向に合わせて、タッチ座標の軸の入れ替えと、増減方向の入れ替えを行う。
【００４５】
つぎに、図６により、Ｓ４５（図４を参照）の撮影条件設定処理の詳細フローの内容を説明する。
まず、操作状況検出手段３１は、現在のタッチ位置を検出する（Ｓ４５１）。詳細には、タッチ位置は、タッチパネル１１のタッチ座標を、撮影装置の姿勢に応じて変換した、ディスプレイ１２の画面情報座標における位置とする。
【００４６】
そして、操作状況検出手段３１は、セルフタイマ設定アイコンの中心座標と現在のタッチ位置の差分を算出する（Ｓ４５２）。つまり、操作状況検出手段３１は、ドラッグしている指２６の位置座標とセルフタイマの設定アイコン２５の中心座標の差から、ドラッグの下方向のドラッグ量と右方向のドラッグ量を求める。
つぎに、撮影条件更新手段３３は、操作状況検出手段３１が求めた差分値（ドラッグ量）から設定値を算出する（Ｓ４５３）。ここで、設定値は、セルフタイマ撮影における撮影条件であるセルフタイマ時間と撮影連写枚数である。詳細には、撮影条件更新手段３３は、予め上述した計算式（１）（２）を記憶しておき、Ｓ４５２で求めた下方向のスライト量を基に計算式（１）を使用して、セルフタイマ時間を求め、右方向のスライト量を基に計算式（２）を使用して、撮影連写枚数を求めればよい。
【００４７】
そして、撮影条件設定手段３５は、求めた設定値の記憶を更新する（Ｓ４５４）。この設定値は、例えば記憶部１３（図１参照）のワークメモリ１５などに格納される。
この後、表示制御手段３４が設定値と、この設定値に対応するドラッグマーク７４，７５をディスプレイ１２（表示部）に逐次更新しながら表示する（Ｓ４５５）。これにより、撮影者が、現在のタッチ位置に対応する時間設定値と撮影連写枚数を視認することができる。
【００４８】
最後に、操作状況検出手段３１は、タッチの終了を検出する（Ｓ４５６）。指２６がタッチパネル１１から離れていなければ、ドラッグ中としてＳ４５１に戻る（Ｓ４５６のＮｏ）。
Ｓ４５６で、指２６がタッチパネル１１から離れていれば（Ｓ４５６のＹｅｓ）、操作状況検出手段３１は図６のフローを終了し、図４の処理に戻る。
【００４９】
上記のように、Ｓ４５６で操作状況検出手段３１がタッチの終了を検出するまで、Ｓ４５１〜Ｓ４５５の処理を繰り返し行うことで、指２６のドラッグに応じて、表示制御手段３４が設定可能な時間設定値と撮影連写枚数を逐次更新しながら表示する。これにより、撮影者が、表示内容の変化に合わせて指２６のドラッグを調整して、時間設定値と撮影連写枚数を変更することができる。そして撮影者は、タッチパネル１１から指２６を離すことでセルフタイマの時間設定と撮影連写枚数の設定を行える。
【００５０】
《第２実施形態》
上記の第１実施形態では、指２６のドラッグにより、セルフタイマの時間設定と撮影連写枚数の設定の２つの設定値を同時に変更するようにした。つぎに、第２実施形態では、ディスプレイ１２を指２６でタッチしたときのタッチ位置の被写体にフォーカスを合わせるＡＦ位置設定と、指２６のドラッグによりセルフタイマの時間設定と撮影連写枚数の設定を順次行い、更に指２６がディスプレイ１２から離された場合にセルフタイマ撮影または通常撮影を実行する例を説明する。
【００５１】
図７（ａ）〜（ｄ）は、ディスプレイ１２（タッチパネル１１）をタッチして、ＡＦ位置と２つの方向の指２６のドラッグによりセルフタイマの時間設定と撮影連写枚数の設定を行う第２実施形態の操作の概要を説明する図である。図７（ａ）〜（ｄ）の各画面は、ディスプレイ１２（タッチパネル１１）の任意の１点をタッチしているときの表示内容を示している。また、図示していないが、このディスプレイ１２には、撮像部２０で撮像されるライブビュー画像が常に表示されている。
第２実施形態のＡＦ位置とセルフタイマの時間と撮影連写枚数の設定は、図７（ａ）で示すように、任意の位置を指２６でタッチすると処理が開始される。図７（ａ）のマーク７１は、設定したＡＦ位置を図示するものであり、ＡＦ位置はディスプレイ１２の任意の位置を指定できる。このとき、ディスプレイ１２には、セルフタイマの時間設定を行うためにドラッグする方向がガイダンス矢印７２で示される。
【００５２】
図７（ａ）の画面において、撮影者がガイダンス矢印７２の方向に従って指２６を下方向にドラッグすると、図７（ｂ）を介して図７（ｃ）の画面に遷移する。
図７（ｂ）の画面には、下方向にドラッグしていることを示すドラッグマーク７４と、セルフタイマの時間「４」の設定値が示されたドラッグマーク７５とが逐次更新されながら表示される。このセルフタイマの時間「４」は、下方向へのドラッグ量に応じて設定されたものである。
【００５３】
撮影者は、更に下方向に指２６をドラッグして、ドラッグマーク７５上に表示されるセルフタイマの時間が「８」になったときに、ドラッグを停止し、そのタッチ位置に指２６を所定時間保持する。これにより、図７（ｃ）の画面に遷移する。
図７（ｃ）の画面には、下方向にドラッグしていることを示すドラッグマーク７４と、セルフタイマの時間「８」の設定値が示されたドラッグマーク７５とが逐次更新されながら表示される。更に、撮影連写枚数の設定を行うためにドラッグする方向がガイダンス矢印７３で示される。
【００５４】
図７（ｄ）の画面は、撮影者がガイダンス矢印７３の方向に従って、指２６を右方向にドラッグした場合を示している。図７（ｄ）の画面には、ドラッグマーク７４と、ドラッグマーク７５と、その上に表示されるセルフタイマの時間と撮影連写枚数の設定を示す「８×２」の表示と、右方向のガイダンス矢印７３とが表示される。
図示していないが、撮影者が更に指２６を右方向にドラッグすると、ドラッグマーク７５上に表示されるセルフタイマの時間と撮影連写枚数の設定値は、「８×３」と表示される。このとき、撮影者がタッチパネル１１から指２６を離す（ドラッグを終了する）と、撮影連写枚数が３枚に設定され、８秒経過後に撮影が行われる。
なお、図示省略したが、図７（ａ）と図７（ｂ）の間では、セルフタイマ時間２秒が、逐次更新されながら画面に表示される。図７（ｂ）と図７（ｃ）の間では、セルフタイマ時間６秒が、逐次更新されながら画面に表示される。
【００５５】
上記のとおり、第２実施形態の撮影装置では、下方向と右方向の異なる方向に順番に指２６をドラッグして、ドラッグのそれぞれの方向のドラッグ量に応じて、セルフタイマの時間と撮影連写枚数の設定を行うようにしている。さらに、撮影者が所定時間に亘ってタッチ位置をホールドした時に、ドラッグ方向の変更（設定種別の変更）を行うようにした。
設定するセルフタイマの時間と撮影連写枚数はドラッグのドラッグ量に応じて逐次更新しながら表示され、セルフタイマの時間と撮影連写枚数を順次設定するようにしたので、細かなドラッグの調整が不要となり、容易に設定を行うことができる。
【００５６】
ところで、図７で説明した操作例では、ディスプレイ１２の左上をＡＦ位置とし（マーク７１で図示）、セルフタイマの時間と撮影連写枚数を設定するドラッグの基点とする操作例を説明したが、ＡＦ位置をディスプレイ１２の右下側にすると、指２６をドラッグする範囲が少なくなる。
このため、図８に示す方法により、撮影者が、ディスプレイ１２の任意の一点をドラッグ基点（ＡＦ位置）として２つの設定値を指定するようにした。具体的にいうと、第２実施形態の撮影装置は、集合写真等におけるＡＦ位置の指定と、セルフタイマ撮影のタイマ時間と、撮影連写枚数の設定とを同時に行える。
【００５７】
詳細には、図８に示すように、ディスプレイ１２の表示領域を４つの領域（象限）に分けて、それぞれの領域で、タイマ時間と撮影連写枚数の設定値を指定する指２６のドラッグ方向の組み合わせを異なるようにする。
まず、ディスプレイ１２の第２象限の一点をドラッグの基点とする場合には、図７で説明したとおり、セルフタイマ時間の設定を行うドラッグ方向を示すガイダンス矢印７２を下方向に表示して下方向のドラッグによりセルフタイマ時間を設定し、つぎに、撮影連写枚数の設定を行うドラッグ方向を示すガイダンス矢印７３を右方向に表示して連続する右方向のドラッグにより撮影連写枚数の設定を行う。
このとき、ガイダンス矢印７２，７３の表示位置は、指２６をドラッグする方向の画面内の垂直方向で対象となる側であって、終点側となる画面隅に表示しておくとよい。これにより、操作者の手による隠れが少なくなる。
【００５８】
ディスプレイ１２の第１象限の一点をドラッグの基点とする場合には、ガイダンス矢印７２を下方向に表示して下方向のドラッグによりセルフタイマ時間を設定し、つぎに、ガイダンス矢印７３を左方向に表示して連続する左方向のドラッグにより撮影連写枚数の設定を行う。
ディスプレイ１２の第３象限の一点をドラッグの基点とする場合には、ガイダンス矢印７２を上方向に表示して上方向のドラッグによりセルフタイマ時間を設定し、つぎに、ガイダンス矢印７３を右方向に表示して連続する右方向のドラッグにより撮影連写枚数の設定を行う。
ディスプレイ１２の第４象限の一点をドラッグの基点とする場合には、ガイダンス矢印７２を上方向に表示して上方向のドラッグによりセルフタイマ時間を設定し、つぎに、ガイダンス矢印７３を左方向に表示して連続する左方向のドラッグにより撮影連写枚数の設定を行う。
【００５９】
上記のように、ディスプレイ１２を４つの領域に分け、ドラッグ基点（ＡＦ位置）が含まれる領域ごとに、タイマ時間と撮影連写枚数の設定値を指定する指２６のドラッグ方向の組み合わせを決めることによって、少なくともディスプレイ１２の１／４の面積でドラッグ操作を行えるので、操作性を低減することなく、任意の点をＡＦ位置に指定すると共にセルフタイマの撮影条件設定を一緒に行うことができる。
【００６０】
また、撮影者が上記の上下方向のドラッグと左右方向の操作ドラッグのいずれかのドラッグ中に、逆方向にドラッグを行うことで、各設定を調整できるようにするとよい。詳細には、第１象限では、下方向ドラッグでタイマ時間の設定を行うが、例えば、下方向のドラッグで８秒を設定した後で、続けて上方向にドラッグすると、タイマ時間の設定を４秒に修正できるようにする。
この逆方向ドラッグを可能にすることで、セルフタイマ時間や撮影連写枚数の設定をより容易に行うことができる。
【００６１】
つぎに、図９の機能ブロック図により、制御部１０で処理される第２実施形態のセルフタイマ撮影の機能ブロック９０の制御内容を説明する。図９は、図８で説明したディスプレイ１２の任意の一点をタッチして処理を開始した後のセルフタイマの時間設定と撮影連写枚数の設定と、ＡＦ位置の指定と、撮影とを行う構成を示している。
【００６２】
位置検出手段９１は、タッチパネル１１からドラッグしている指２６のタッチ座標を取得し、タッチ開始位置を求める。
このとき、姿勢検出手段９３が、ジャイロセンサ２１のセンサ信号に基づいて、重力方向を判定し、撮影装置が縦持ちされているか否かを判定する。縦持ちしていると判定した場合には、タッチ座標が９０度回転するため、タッチ座標の座標軸を変更して、画面情報座標を得るためである。
【００６３】
検出方向制御手段９２では、図８で説明したドラッグ基点の象限により設定のためのドラッグの方向を変えるため、位置検出手段９１で取得したタッチ開始位置と姿勢検出手段９３で判定した装置姿勢を基に、タッチ開始位置を画面情報座標に変換するとともに、タッチ開始位置の象限から設定のためのドラッグ方向を求める。
【００６４】
操作状況検出手段９４は、姿勢検出手段９３で判定した姿勢と、検出方向制御手段９２から入力されるタッチ開始位置と設定のためのドラッグ方向を考慮して、記憶部１３の設定値算出テーブル１６に含まれる以下の計算式（３）（４）を利用し、タッチパネル１１のドラッグしている指２６のタッチ座標から、ドラッグの第１方向ドラッグ量（上下方向ドラッグ量）と第２方向ドラッグ量（左右方向ドラッグ量）を求める。
【００６５】
ドラッグの第１方向ドラッグ量（上下方向ドラッグ量）は、つぎの式（３）で示される。
ｉｎｔ（（ｙｎ−ｙ０）／ａ２）×２    ……（３）
ドラッグの第２方向ドラッグ量（左右方向ドラッグ量）は、つぎの式（４）で示される。
ｉｎｔ（（ｘｎ−ｘ０）／ｂ２）        ……（４）
ここで、ｘ０，ｙ０は、初期タッチ位置の画面情報座標（ｘ０，ｙ０）であり、ｘｎ，ｙｎは、ドラッグ中の指２６の画面情報座標（ｘｎ，ｙｎ）である。そして、ａ２，ｂ２は、画面情報座標とドラッグ量の変換のための比例定数であり、第１実施形態の計算式（１）（２）で使用するａ１，ｂ１とは異なる値である。また、ｉｎｔは、引数を整数値に丸める関数である。計算式（３）の式で「２」を乗算しているのは、計算式（１）と同様、設定されるセルフタイマ時間を２の倍数とするためであるが、「２」を乗算しなくてもよく、他の自然数を乗算してもよい。
【００６６】
また、操作状況検出手段９４は、タッチパネル１１からタッチ座標を取得するとともに、指２６がタッチパネル１１にタッチしているか否かの情報を取得している。詳細は後述するが、第２実施形態では、セルフタイマの撮影条件の設定後に、設定したタイマ時間と撮影連写枚数で撮影を開始するモードを設けている。操作状況検出手段９４は、タッチパネル１１から指２６が離れたことを判定して撮影制御手段９８に撮影指示を行う。
【００６７】
撮影条件更新手段９５は、操作状況検出手段９４で取得したドラッグの第１方向ドラッグ量と第２方向ドラッグ量を、それぞれ、計算式（３）（４）を使用して、設定する機能の第１制御条件と第２制御条件に変換する。具体的には、設定する機能が、セルフタイマであり、第１制御条件がセルフタイマ時間（０秒、２秒、４秒、６秒、８秒、…）のインデックス、第２制御条件が撮影連写枚数（１枚、２枚、３枚、…）のインデックスである。
また、撮影条件更新手段９５は、最初のタッチ位置をＡＦ位置として出力する。
【００６８】
撮影条件更新手段９５は、算出した第１制御条件や第２制御条件を、ドラッグに応じてして、表示制御手段９６に通知する。
表示制御手段９６は、第１制御条件と第２制御条件を、セルフタイマ時間の値と撮影連写枚数の値として、図７（ａ）〜（ｄ）の各画面で示したようにセルフタイマ時間と撮影連写枚数を設定値の大きさを把握できるような視覚的な表示を行う。
これにより、ドラッグに応じてセルフタイマ時間の値と撮影連写枚数の値が表示されるので、所望の設定を容易に行うことができる。
【００６９】
撮影条件設定手段９７は、指２６がタッチパネル１１から離れたときに、ドラッグの終点における第１制御条件と第２制御条件とＡＦ位置を、撮影条件更新手段９５から取得し、セルフタイマ撮影条件としてのセルフタイマ時間と撮影連写枚数とＡＦ位置として、記憶部１３の例えばワークメモリ１５に格納する。
【００７０】
撮影制御手段９８は、タッチパネル１１から指２６が離れた時に、操作状況検出手段９４が出力する撮影指示により、撮影条件設定手段９７により記憶部１３に格納されたセルフタイマ時間と撮影連写枚数の設定に基づいて、撮像部２０の撮影制御を行う。
【００７１】
つぎに、制御部１０がプログラム動作として、図９により説明したタッチパネル１１の任意の位置をドラッグ基点としてセルフタイマの設定を行う機能を実現する場合の処理フローを図１０〜図１２に示す。
図１０は、第２実施形態の設定処理の全体動作のフロー図である。適宜、図９を参照して説明する。
【００７２】
まず、位置検出手段９１は、タッチパネル１１の任意の一点がタッチされた否かを検出し（Ｓ５１）、タッチされていない場合には（Ｓ５１のＮｏ）、他の操作に応じた処理（Ｓ５３）を行い、処理を終了する。
【００７３】
Ｓ５１で、タッチパネル１１の任意の一点がタッチされたことを検出したときには（Ｓ５１のＹｅｓ）、位置検出手段９１は初期タッチ位置を検出する（Ｓ５２）。この初期タッチ位置が、ＡＦの指定位置となるとともに、セルフタイマの撮影条件設定のドラッグ基点となる。
【００７４】
つぎに、撮影制御手段９８は、撮像部２０により初期タッチ位置にフォーカスを合わせる仮ＡＦ実行処理（Ｓ５４）を行う。これにより、ディスプレイ１２に表示されるライブビュー画像は、初期タッチ位置にフォーカスを合わせた画像となるので、セルフタイマ撮影時のフォーカスを確認できる。
【００７５】
つぎに、検出方向制御手段９２は、図８で説明した初期タッチ位置の画面領域（象限）に基づいて、設定値を指定するドラッグ方向の組み合わせを決める検出方向特定処理（Ｓ５５）を実行する。詳細は、図１１により説明するが、セルフタイマの時間設定を行うための第１の方向（第１ドラッグ方向）と、撮影連写枚数の設定を行うための第２の方向（第２ドラッグ方向）を求める。
【００７６】
そして、表示制御手段９６は、表示部（ディスプレイ１２）にＳ５５で求めた第１の方向を案内表示する（Ｓ５６）。詳しくは、表示制御手段９６は、ディスプレイ１２に、Ｓ５５で求めた第１のドラッグ方向に応じて、図７で示したようなガイダンス矢印７２を表示する。
【００７７】
撮影者は、ガイダンス矢印７２の方向に指２６をドラッグして、セルフタイマの設定を行う。操作状況検出手段９４は、第１の方向への指２６のドラッグ操作を検出したか判定し（Ｓ５７）、検出した場合には（Ｓ５７のＹｅｓ）、撮影者の指２６のドラッグによるセルフタイマの撮影条件設定の処理を継続する。
このとき、操作状況検出手段９４は、撮影モードフラグに“１”を設定する（Ｓ５８）。
【００７８】
そして、詳細を後述するが、第１の方向の指２６のドラッグによりセルフタイマ時間の設定を行い、連続する第２の方向の指２６のドラッグにより撮影連写枚数の設定を行う撮影条件設定処理を実行する（Ｓ５９）。
Ｓ５９は、指２６がタッチパネル１１から離れるまで実行されており、セルフタイマ時間と撮影連写枚数の設定が決まると、つぎのＳ６０に進む。
【００７９】
ところで、Ｓ５７で、第１の方向への指２６のドラッグ操作を検出しなかった場合（Ｓ５７のＮｏ）には、Ｓ６０に直接進む。
このフローのパスは、ＡＦ位置を指定した後に、セルフタイマ撮影を行わずに直ちに撮影する通常撮影を実行（Ｓ６５）する、いわゆるタッチシャッタと呼ばれる撮影を実行する処理である。このため、撮影モードフラグを“１”に設定しないようにしている。また、Ｓ５７のドラッグ操作の方向の判定には、指２６のタッチが離れているか否かを含んでいる。
【００８０】
Ｓ６０では、表示制御手段９６は、表示部（ディスプレイ１２）の設定値、案内の表示を消去し、ディスプレイ１２に、図７に示したような、ガイダンス矢印７２，７３とドラッグマーク７４，７５とが表示されていな状態とする。これにより、撮影者は撮影準備ができたことを視認することができる。
【００８１】
そして、撮影制御手段９８は、Ｓ５２で取得した初期処理タッチ位置に対してオートフォーカスを実行する（Ｓ６１）。これにより、撮影条件設定処理を実行中に被写体が動いた場合などによるフォーカスずれを補償する。
つぎに、撮影制御手段９８は、ＡＥ（Automatic Exposure：自動露出制御）と、ＡＷＢ（Auto White Balance：ホワイトバランス調整）を実行する（Ｓ６２）。これにより、撮影画像に対して、露出調整とホワイトバランスの調整が行われる。
【００８２】
Ｓ６２が終了すると、撮影制御手段９８は、撮影モードフラグに“１”が設定されているか否かを判定し（Ｓ６３）、“１”が設定されていれば（Ｓ６３のＹｅｓ）、Ｓ５９で設定された撮影条件設定に従って、セルフタイマ撮影を実行し（Ｓ６４）、処理を終了する。
【００８３】
Ｓ６３で“１”が設定されていなければ（Ｓ６３のＮｏ）、撮影制御手段９８は、シャッターボタンの押下や、ディスプレイ１２に表示されたシャッターボタンアイコンがタッチされたときと同様の、通常撮影を実行し（Ｓ６５）、処理を終了する。これにより、ディスプレイ１２をタッチすることで、ＡＦ位置を指定した通常撮影を行うことができる。
【００８４】
つぎに、図１１により、Ｓ５５（図１０を参照）の検出方向特定処理の詳細フローを説明する。
まず、姿勢検出手段９３は、装置の姿勢を検出する処理を行う（Ｓ５５１）。この処理により、撮影装置が縦持ちされているか否かを検出する。
【００８５】
Ｓ５５２で、検出方向制御手段９２は、姿勢に応じて、画面に対するｘ軸・ｙ軸の方向を変更する。つまり、Ｓ５５１で姿勢検出手段９３により撮影装置が縦持ちされていると検出されていれば、検出方向制御手段９２は、タッチパネル１１のタッチ座標を９０度回転させて、ディスプレイ１２の画面情報座標に変換する。
なお、縦持ちには、撮影装置の左端を上方にする場合と撮影装置の右端を上方にする場合の２つがあるので、検出方向制御手段９２は、その方向に合わせて、タッチ座標の軸の入れ替えと、増減方向の入れ替えを行う。
【００８６】
つぎに、検出方向制御手段９２は、Ｓ５５２でディスプレイ１２の画面情報座標に変換した初期タッチ位置が画面中央より上側か否かを判定する（Ｓ５５３）。これは、初期タッチ位置が、図８における、第１象限または第２象限であるか否かの判定を行っている。
Ｓ５５３で、初期タッチ位置が画面中央より上側であると判定した場合（Ｓ５５３のＹｅｓ）、つまり、初期タッチ位置が第１象限または第２象限の場合に、検出方向制御手段９２は、第１の方向（第１ドラッグ方向）を下向きに特定する（Ｓ５５４）。ここで、第１の方向（第１ドラッグ方向）は、セルフタイマ時間の設定を行う方向である。
Ｓ５５３で、初期タッチ位置が画面中央より上側でないと判定した場合（Ｓ５５３のＮｏ）、つまり、初期タッチ位置が第３象限または第４象限の場合に、検出方向制御手段９２は、第１の方向（第１ドラッグ方向）を上向きに特定する（Ｓ５５５）。
【００８７】
Ｓ５５４またはＳ５５５のつぎに、検出方向制御手段９２は、Ｓ５５２でディスプレイ１２の画面情報座標に変換された初期タッチ位置が画面中央より左側か否かを判定する（Ｓ５５６）。これは、初期タッチ位置が、図８における、第２象限または第３象限であるか否かの判定を行っている。
Ｓ５５６で、初期タッチ位置が画面中央より左側であると判定した場合（Ｓ５５６のＹｅｓ）、つまり、初期タッチ位置が第２象限または第３象限の場合に、検出方向制御手段９２は、第２の方向（第２ドラッグ方向）を右向きに特定する（Ｓ５５７）。ここで、第２の方向（第２ドラッグ方向）は、撮影連写枚数の設定を行う方向である。
Ｓ５５６で、初期タッチ位置が画面中央より左側でないと判定した場合（Ｓ５５６のＮｏ）、つまり、初期タッチ位置が第１象限または第４象限の場合に、検出方向制御手段９２は、第２の方向（第２ドラッグ方向）を左向きに特定する（Ｓ５５８）。
【００８８】
以上により、初期タッチ位置に基づいて、セルフタイマの時間設定を行うための第１の方向（第１ドラッグ方向）と、撮影連写枚数の設定を行うための第２の方向（第２ドラッグ方向）を決めることができる。
【００８９】
つぎに、図１２により、Ｓ５９（図１０を参照）の撮影条件設定処理の詳細フローの内容を説明する。
まず、検出方向制御手段９２は、現在のタッチ位置を検出する（Ｓ５９１）。詳細には、タッチ位置は、タッチパネル１１のタッチ座標を、撮影装置の姿勢に応じて変換した、ディスプレイ１２の画面情報座標における位置とする。
【００９０】
そして、操作状況検出手段９４は、初期タッチ位置と現在のタッチ位置の第１の方向（第１ドラッグ方向）の差分を算出する（Ｓ５９２）。詳細には、初期タッチ位置が第２象限の場合に、操作状況検出手段９４は、ドラッグしている指２６の現在のタッチ位置の座標と初期タッチ位置の座標とから、ドラッグの下方向のドラッグ量を求める。初期タッチ位置が第４象限の場合に、操作状況検出手段９４は、ドラッグの上方向のドラッグ量を求める。
【００９１】
つぎに、撮影条件更新手段９５は、操作状況検出手段９４が求めた差分値（ドラッグ量）から設定値を算出する（Ｓ５９３）。ここで、設定値は、セルフタイマ撮影における撮影条件であるセルフタイマの時間設定である。詳細には、予め、上述した計算式（３）を記憶しておき、Ｓ５９２で求めたスライト量を基に上述した計算式（３）を使用して、セルフタイマの時間設定を求めればよい。
【００９２】
そして、撮影条件設定手段９７は、Ｓ５９３で算出した設定値の記憶を更新する（Ｓ５９４）。この設定値は、例えば記憶部１３（図１参照）のワークメモリ１５などに格納される。
この後、表示制御手段９６は、Ｓ５９３で算出した設定値と、この設定値に対応するドラッグマーク７４，７５とを表示部（ディスプレイ１２）に逐次更新しながら表示する（Ｓ５９５）。これにより、撮影者が、現在のタッチ位置に対応する時間設定値を視認することができる。Ｓ５９５の表示例は、例えば、図７（ｂ）に示している。図７（ｂ）には、設定するセルフタイマの時間「４」の設定値が表示されたドラッグマーク７５と、下方向にドラッグしていることを示すドラッグマーク７４と、下方向にドラッグすべきことを示すガイダンス矢印７２とが画面（ディスプレイ１２）に表示されている。
【００９３】
つぎに、操作状況検出手段９４は、ドラッグ操作を判定する（Ｓ５９６）。操作状況検出手段９４は、ドラッグ操作の停止を検出した場合にはＳ５９７に進み、タッチの終了を検出した場合には図１２のフローを終了して図１０に戻り、ドラッグ操作が継続された場合には、Ｓ５９１に戻り、Ｓ５９１〜Ｓ５９５の処理を繰り返す。
操作状況検出手段９４は、タッチ位置の変化を検出して、ドラッグ操作の停止を検出したか否かを判定する。このドラッグ操作の停止の検出は、ドラッグ方向の第１の方向から第２の方向への変化を検出するために実行される。
詳細には、操作状況検出手段９４は、Ｓ５９６のドラッグ操作の判定において、Ｓ５９１で取得したタッチ位置の変化量が所定値以内である時間が、所定時間継続したときにドラッグの停止とする。
【００９４】
また、タッチパネル１１が指２６のタッチ圧を検出できるものであれば、Ｓ５９６のドラッグの停止判定を、押圧値の変化により判定してもよい。具体的には、操作状況検出手段９４は、Ｓ５９１でタッチ位置とともにタッチ圧を取得し、Ｓ５９６でタッチ圧の変化を算出して、所定時間に亘って押圧値が閾値以上であればドラッグ停止と判定してもよい。
【００９５】
さらに、操作状況検出手段９４は、ドラッグ方向の変化を算出し、ドラッグ方向が初期タッチの状態から所定値以上の変化があったときに、ドラッグの停止と判定するようにしてもよい。
【００９６】
Ｓ５９６で、操作状況検出手段９４によりドラッグ操作の停止を検出した場合には、第１の方向のセルフタイマの時間設定を完了し、第２の方向の撮影連写枚数の設定処理に移る。
【００９７】
まず、撮影条件更新手段９５は、表示制御手段９６によりディスプレイ１２（表示部）に第２の方向を案内表示する（Ｓ５９７）。例えば、初期タッチ位置が第２象限の場合には、撮影条件更新手段９５は、図７（ｃ）に示すように、右向きのガイダンス矢印７３をディスプレイ１２に表示する。
撮影者は、このガイダンス矢印７３により、撮影連写枚数の設定を行うための指２６のドラッグ方向を認識することができる。
【００９８】
そして、検出方向制御手段９２は、現在のタッチ位置を検出する（Ｓ５９８）。詳細には、タッチ位置は、タッチパネル１１のタッチ座標を、撮影装置の姿勢に応じて変換した、ディスプレイ１２（表示部）の画面情報座標における位置とする。
【００９９】
つぎに、操作状況検出手段９４は、初期タッチ位置と現在のタッチ位置の第２の方向（第２ドラッグ方向）の差分を算出する（Ｓ５９９）。詳細には、初期タッチ位置が第２象限の場合には、ドラッグしている指２６の現在のタッチ位置の座標と初期タッチ位置の座標とから、ドラッグの右方向のドラッグ量を求める。初期タッチ位置が第４象限の場合に、操作状況検出手段９４は、ドラッグの左方向のドラッグ量を求める。
【０１００】
そして、撮影条件更新手段９５は、求めた差分値（ドラッグ量）から設定値を算出する（Ｓ６００）。ここで、設定値は、セルフタイマ撮影における撮影条件である撮影連写枚数の設定である。詳細には、予め、上述した計算式（４）を記憶しておき、Ｓ５９９で求めたスライト量を基に上述した計算式（４）を使用して、セルフタイマの撮影連写枚数の設定を求めればよい。
【０１０１】
つぎに、撮影条件設定手段９７は、Ｓ６００で算出した設定値の記憶を更新する（Ｓ６０１）。
この後、表示制御手段９６は、Ｓ６００で算出した設定値を表示部（ディスプレイ１２）に逐次更新しながら表示する（Ｓ６０２）。これにより、撮影者が、現在のタッチ位置に対応する撮影連写枚数の設定値を視認することができる。Ｓ６０２の表示例は、例えば、図７（ｄ）に示したように、撮影連写枚数「２」と、先に設定したセルフタイマの時間「８」と合わせて、「８×２」の設定値が表示されたドラッグマーク７５をディスプレイ１２に表示する。このとき、ドラッグマーク７５は、横方向にドラッグしていることを示すため、ドラッグ方向に合わせて横長に表示される。
【０１０２】
最後に、操作状況検出手段９４は、タッチの終了を検出したか否かを判定する（Ｓ６０３）。指２６がタッチパネル１１から離れていなければ、ドラッグ中としてＳ５９８に戻る（Ｓ６０３のＮｏ）。
Ｓ６０３で、指２６がタッチパネル１１から離れていれば（Ｓ６０３のＹｅｓ）、図１２のフローを終了し、図１０の処理に戻る。
【０１０３】
上記の第１の方向と第２の方向のそれぞれの指２６のドラッグでは、初期タッチ位置と現在のタッチ位置の差分を算出しているので、ドラッグ中に逆方向にドラッグして、設定値を戻すような操作ができる。詳しくは、下方向の第１の方向のドラッグ中に、続けて上方向にドラッグして、セルフタイマの時間設定を「８」から「４」に修正するような操作を行うことができる。
【０１０４】
上記のように、第１の方向と第２の方向の２方向のドラッグに分けて、セルフタイマの時間設定と撮影連写枚数の設定を行っているので、調整が容易である。各設定値は、ドラッグの指定方向の成分（ドラッグ量）で決まるので、ドラッグ方向が指定方向とずれていてもよい。よって、タッチパネル１１の検出精度が良くない場合でも好適に撮影条件パラメータを設定することができる。つまり、第１の方向が下方向であっても、ドラッグ方向は真下でなくてもよい。第２の方向が右方向であっても、ドラッグ方向は右方向からずれていてもよい。また、第１の撮影条件を確定させたのちに、第２の撮影条件を確定させているので、右方向のドラッグのずれにより、第１の撮影条件が変化しない。これにより撮影者は、容易に各撮影条件の設定を行うことができる。
【０１０５】
図１２に示した撮影条件設定処理では、Ｓ５９２とＳ５９９で、初期タッチ位置からの差分を算出するようにしていた。このうち、Ｓ５９９は、ドラッグ操作の停止を検出した位置（ドラッグ停止位置）からの差分を算出する処理としてもよい。このようにして、ドラッグ方向が変わったタッチ位置（ドラッグの変曲点）からの差分を算出し、差分値から設定値を算出することで、第３の方向を追加指定して、３つの設定値を設定することができる。
例えば、ドラッグ方向を下方向・右方向・下方向に指定し、それぞれのドラッグで、セルフタイマの時間設定・撮影連写枚数・撮影間隔を設定することができる。
【０１０６】
上記の方向の異なる第１の方向と第２の方向の２方向のドラッグに分けて、セルフタイマの時間設定と撮影連写枚数の設定等の設定を行う方法は、第１実施形態で説明した設定アイコン２５などをタッチして、この設定アイコン２５などに対応する設定値の設定を行う場合にも適応できる。この場合には、複数の設定アイコンを表示して、設定する内容の選択と、選択した設定アイコンに対応する設定値の設定を同時に行うことができるので、撮影装置の使い勝手が向上する。
【０１０７】
また、本発明は上記した実施形態に限定されるものではなく、様々な変形例が含まれる。上記の実施形態は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【０１０８】
なお、本発明の変形例には、例えば、次の（１）〜（８）のようなものがある。
（１）  上記実施形態では、ドラッグ操作状況に応じて逐次第１の撮影条件及び／又は第２の撮影条件の設定値を逐次更新している。しかし、逐次更新するのは表示上の値であって、指２６がタッチパネル１１から離れたときに設定値を設定するようにしてもよい。
（２）  上記実施形態では、ドラッグ操作状況に応じて更新される第１の撮影条件及び／又は第２の撮影条件を、ドラッグ操作状況に逐次追随して表示している。しかし、このド第１の撮影条件及び／又は第２の撮影条件を、表示部上の所定の固定位置に逐次更新して表示するようにしてもよい。
（３）  セルフタイマの時間設定は、ドラッグ量に応じて加算するだけでなく、所定の時間（例えば１０秒）から減算していくようにしてもよい。
（４）  操作状況検出手段は、ドラッグ操作状況として、ドラッグ速度を検出してもよい。
（５）  第１実施形態のタッチ開始位置の座標は、タッチ位置を検出してもよい。
（６）  第２実施形態で、表示制御手段は、タッチ開始時に第１の方向と第２の方向の両方を案内表示し、第１実施形態のように、第１の方向と第２の方向を組み合わせて操作可能としてもよい。
（７）  上記実施形態の撮影装置は、撮影対象と撮影条件を表示するディスプレイ１２と指２６をドラッグして撮影条件を設定するタッチパネル１１を備えていればよく、デジタルカメラ以外に、カメラ機能をもつスマートフォンやタブレット端末や携帯電話やパソコン等にも適用することができる。
（８）  第２実施形態で、第２の方向のドラッグ操作中に、ドラッグ停止位置に戻って所定時間が経過したことを検知したならば、第２の方向のドラッグ操作から第１の方向のドラッグ操作に切り替えてもよい。これにより、第１の撮影条件の設定を容易に修正することができる。
【０１０９】
以下に、この出願の願書に最初に添付した特許請求の範囲に記載した発明を付記する。付記に記載した請求項の項番は、この出願の願書に最初に添付した特許請求の範囲の通りである。
［請求項１］
表示部にタッチパネルを備え、セルフタイマによる撮影を行う撮影装置であって、
前記タッチパネル上の固定された位置叉は任意の位置へのタッチの開始から終了までのドラッグ操作状況を逐次検出する操作状況検出手段と、
前記操作状況検出手段が逐次検出した前記ドラッグ操作状況に応じて、第１の撮影条件であるセルフタイマの時間または撮影連写枚数を逐次更新する撮影条件更新手段と、
前記撮影条件更新手段が逐次更新する前記第１の撮影条件を前記任意のタッチ位置に対応する前記表示部上の位置又は前記ドラッグ操作状況に追随する前記表示部上の位置に、逐次更新しながら表示する制御を行う表示制御手段と、
更新された前記第１の撮影条件を、撮影を行う際の撮影条件として設定する撮影条件設定手段と、
を備えることを特徴とする撮影装置。
［請求項２］
前記操作状況検出手段は、前記ドラッグ操作状況として、第１の方向にドラッグ操作されたドラッグ量を検出し、
前記撮影条件更新手段は、前記操作状況検出手段が検出した前記第１の方向へのドラッグ量に応じて、前記第１の撮影条件を逐次更新する、
ことを特徴とする請求項１に記載の撮影装置。
［請求項３］
前記操作状況検出手段は、前記ドラッグ操作状況として更に、前記第１の方向とは異なる方向である第２の方向にドラッグ操作されたドラッグ量を検出し、
前記撮影条件更新手段は、前記操作状況検出手段が検出した前記第２の方向へのドラッグ量に応じて更に、セルフタイマの時間または撮影連写枚数のうちの前記第１の撮影条件とは異なる他方である第２の撮影条件を更新し、
前記表示制御手段は、前記第１の撮影条件に加えて、前記撮影条件更新手段が逐次更新する前記第２の撮影条件を前記任意のタッチ位置に対応する前記表示部上の位置又は前記ドラッグ操作状況に追随する記表示部上の位置に逐次更新しながら表示する制御を、更に行う、
ことを特徴とする請求項２に記載の撮影装置。
［請求項４］
前記タッチパネルへのタッチの位置を検出する位置検出手段を更に備え、
前記操作状況検出手段は、前記ドラッグ操作状況として、前記位置検出手段が検出したタッチの開始位置と現在のタッチ位置とに基づいて、前記第１の方向へのドラッグ量および前記第２の方向へのドラッグ量を検出する、
ことを特徴とする請求項３に記載の撮影装置。
［請求項５］
前記タッチパネルへのタッチの開始位置を検出する位置検出手段と、
前記位置検出手段が検出したタッチの開始位置に応じて前記第１の方向を変更する制御を行う検出方向制御手段とを更に備え、
前記操作状況検出手段は、前記検出方向制御手段が変更した前記第１の方向へのドラッグ量を検出する、
ことを特徴とする請求項２ないし請求項４のいずれか１項に記載の撮影装置。
［請求項６］
前記表示制御手段は、前記検出方向制御手段が変更した前記第１の方向を案内する表示を表示部に表示する制御を行う、
ことを特徴とする請求項５に記載の撮影装置。
［請求項７］
前記撮影条件設定手段は、前記位置検出手段が検出したタッチの開始位置に応じた撮影対象の位置を、オートフォーカスの対象位置として設定する、
ことを特徴とする請求項５に記載の撮影装置。
［請求項８］
前記操作状況検出手段は、前記ドラッグ操作状況として更に、前記第１の方向とは異なる方向である第２の方向へ続けてドラッグ操作されたことを検出し、
前記検出方向制御手段は、前記位置検出手段が検出したタッチの開始位置に応じて更に、前記第２の方向を変更する制御を行い、
前記操作状況検出手段は更に、前記検出方向制御手段が変更した前記第２の方向へのドラッグ量を検出する、
ことを特徴とする請求項５に記載の撮影装置。
［請求項９］
前記表示制御手段は、前記検出方向制御手段が変更した前記第２の方向を案内する表示を表示部に表示する制御を行う、
ことを特徴とする請求項８に記載の撮影装置。
［請求項１０］
当該撮影装置の姿勢を検出する姿勢検出手段と、
前記姿勢検出手段が検出した姿勢に応じて、前記表示部に対する第１の方向を変更する制御を行う検出方向制御手段とを更に備え、
前記操作状況検出手段は、前記検出方向制御手段が変更した前記第１の方向へのドラッグ量を検出する、
ことを特徴とする請求項２に記載の撮影装置。
［請求項１１］
前記操作状況検出手段がドラッグ操作の終了を検出した際に、設定された撮影条件で撮影する制御を行う撮影制御手段を、更に備える、
ことを特徴とする請求項１ないし請求項１０のいずれか１項に記載の撮影装置。
［請求項１２］
表示部にタッチパネルを備える撮影装置であって、
前記タッチパネルへのタッチの開始位置を検出する位置検出手段と、
前記タッチパネルへのタッチの開始から続けて行われる第１の方向へのドラッグ操作状況を検出する操作状況検出手段と、
前記位置検出手段が検出したタッチの開始位置に応じて、前記操作状況検出手段が検出する前記第１の方向を変更する制御を行う検出方向制御手段と、
前記検出方向制御手段が変更した前記第１の方向を案内する表示を前記表示部に表示する制御を行う表示制御手段と、
前記操作状況検出手段が検出した前記第１の方向へのドラッグ操作状況に応じて、第１の撮影条件を設定する撮影条件設定手段と、
を備えることを特徴とする撮影装置。
［請求項１３］
前記操作状況検出手段は、前記第１の方向へのドラッグ操作状況として、当該第１の方向にドラッグ操作されたドラッグ量を検出し、
前記撮影条件設定手段は、前記操作状況検出手段が検出したドラッグ量に応じて前記第１の撮影条件を設定する、
ことを特徴とする請求項１２に記載の撮影装置。
［請求項１４］
前記操作状況検出手段は更に、前記第１の方向とは異なる方向である第２の方向にドラッグ操作されたドラッグ量を検出し、
前記検出方向制御手段は更に、前記第２の方向を変更し、
前記表示制御手段は更に、前記検出方向制御手段が変更した前記第２の方向を案内する表示を前記表示部に表示する制御を行い、
前記撮影条件設定手段は、前記操作状況検出手段が検出した前記第２の方向へのドラッグ量に応じて、更に、前記第１の撮影条件とは異なる第２の撮影条件を設定する、
ことを特徴とする請求項１２に記載の撮影装置。
［請求項１５］
前記撮影条件設定手段は、前記位置検出手段が検出したタッチの開始位置に応じた撮影対象の位置を、オートフォーカスの対象位置として設定する、
ことを特徴とする請求項１２に記載の撮影装置。
［請求項１６］
表示部にタッチパネルを備え、セルフタイマによる撮影を行う撮影装置であって、
前記タッチパネルへのタッチの位置を検出する位置検出手段と、
前記タッチパネルへのタッチの開始から続けて行われる第１の方向へのドラッグ操作状況、および、前記第１の方向とは異なる方向である第２の方向へ続けて行われるドラッグ操作状況を検出する操作状況検出手段と、
前記操作状況検出手段が検出した前記第１の方向へのドラッグ操作状況に応じてセルフタイマによる撮影に係る第１の撮影条件を設定し、前記操作状況検出手段が検出した前記第２の方向へのドラッグ操作状況に応じてセルフタイマによる撮影に係る第２の撮影条件を設定する撮影条件設定手段と、
を備えることを特徴とする撮影装置。
［請求項１７］
前記操作状況検出手段は、前記ドラッグ操作状況として、第１および第２の方向にドラッグ操作されたドラッグ量を検出し、
前記撮影条件設定手段は、前記操作状況検出手段が検出した前記第１の方向へのドラッグ量に応じて、セルフタイマによる撮影に係る第１の撮影条件として、セルフタイマの時間を設定し、前記操作状況検出手段が検出した前記第２の方向へのドラッグ量に応じて、セルフタイマによる撮影に係る第２の撮影条件として、撮影連写枚数を設定する、
ことを特徴とする請求項１６に記載の撮影装置。
［請求項１８］
前記操作状況検出手段がタッチの終了を検出した際に、前記撮影条件設定手段が設定した第１および第２の撮影条件による撮影を実行する制御を行う撮影制御手段を、更に備える、
ことを特徴とする請求項１６に記載の撮影装置。
［請求項１９］
表示部にタッチパネルを備え、セルフタイマによる撮影を行う撮影装置が実行する撮影条件設定方法であって、
前記タッチパネル上の任意の位置へのタッチの開始から終了までのドラッグ操作状況を逐次検出する操作状況検出処理、
前記操作状況検出処理で逐次検出した前記ドラッグ操作状況に応じて、第１の撮影条件であるセルフタイマの時間または撮影連写枚数を逐次更新する撮影条件更新処理、
前記撮影条件更新処理で逐次更新する前記第１の撮影条件を前記任意のタッチ位置に対応する前記表示部上の位置又は前記ドラッグ操作状況に追随する前記表示部上の位置に、逐次更新しながら表示する制御を行う表示制御処理、
更新された前記第１の撮影条件を、撮影を行う際の撮影条件として設定する撮影条件設定処理、
を含むことを特徴とする撮影条件設定方法。
［請求項２０］
表示部にタッチパネルを備え、セルフタイマによる撮影を行う撮影装置を制御するコンピュータに、
前記タッチパネル上の任意の位置へのタッチの開始から終了までのドラッグ操作状況を逐次検出する操作状況検出機能、
前記操作状況検出機能で逐次検出した前記ドラッグ操作状況に応じて、第１の撮影条件であるセルフタイマの時間または撮影連写枚数を逐次更新する撮影条件更新機能、
前記撮影条件更新機能で逐次更新する前記第１の撮影条件を前記任意のタッチ位置に対応する前記表示部上の位置又は前記ドラッグ操作状況に追随する前記表示部上の位置に、逐次更新しながら表示する制御を行う表示制御機能、
更新された前記第１の撮影条件を、撮影を行う際の撮影条件として設定する撮影条件設定機能、
を実現させるための撮影条件設定プログラム。
［請求項２１］
表示部にタッチパネルを備える撮影装置が実行する撮影方法であって、
前記タッチパネルへのタッチの開始位置を検出する位置検出処理と、
前記タッチパネルへのタッチの開始から続けて行われる第１の方向へのドラッグ操作状況を検出する操作状況検出処理と、
前記位置検出処理で検出したタッチの開始位置に応じて、前記操作状況検出処理で検出する前記第１の方向を変更する制御を行う検出方向制御処理と、
前記検出方向制御処理で変更した前記第１の方向を案内する表示を前記表示部に表示する制御を行う表示制御処理と、
前記操作状況検出処理で検出した前記第１の方向へのドラッグ操作状況に応じて、第１の撮影条件を設定する撮影条件設定処理と、
を含むことを特徴とする撮影方法。
［請求項２２］
表示部にタッチパネルを備える撮影装置を制御するコンピュータに、
前記タッチパネルへのタッチの開始位置を検出する位置検出機能、
前記タッチパネルへのタッチの開始から続けて行われる第１の方向へのドラッグ操作状況を検出する操作状況検出機能、
前記位置検出機能が検出したタッチの開始位置に応じて、前記操作状況検出機能が検出する前記第１の方向を変更する制御を行う検出方向制御機能、
前記検出方向制御機能が変更した前記第１の方向を案内する表示を前記表示部に表示する制御を行う表示制御機能、
前記操作状況検出機能が検出した前記第１の方向へのドラッグ操作状況に応じて、第１の撮影条件を設定する撮影条件設定機能、
を実現させるための撮影条件設定プログラム。
［請求項２３］
表示部にタッチパネルを備え、セルフタイマによる撮影を行う撮影装置が実行する撮影条件設定方法であって、
前記タッチパネルへのタッチの位置を検出する位置検出処理と、
前記タッチパネルへのタッチの開始から続けて行われる第１の方向へのドラッグ操作状況、および、前記第１の方向とは異なる方向である第２の方向へ続けて行われるドラッグ操作状況を検出する操作状況検出処理と、
前記操作状況検出処理で検出した前記第１の方向へのドラッグ操作状況に応じてセルフタイマによる撮影に係る第１の撮影条件を設定し、前記操作状況検出処理で検出した前記第２の方向へのドラッグ操作状況に応じてセルフタイマによる撮影に係る第２の撮影条件を設定する撮影条件設定処理と、
を含むことを特徴とする撮影条件設定方法。
［請求項２４］
表示部にタッチパネルを備え、セルフタイマによる撮影を行う撮影装置を制御するコンピュータに、
前記タッチパネルへのタッチの位置を検出する位置検出機能、
前記タッチパネルへのタッチの開始から続けて行われる第１の方向へのドラッグ操作状況、および、前記第１の方向とは異なる方向である第２の方向へ続けて行われるドラッグ操作状況を検出する操作状況検出機能、
前記操作状況検出機能が検出した前記第１の方向へのドラッグ操作状況に応じてセルフタイマによる撮影に係る第１の撮影条件を設定し、前記操作状況検出機能が検出した前記第２の方向へのドラッグ操作状況に応じてセルフタイマによる撮影に係る第２の撮影条件を設定する撮影条件設定機能、
を実現させるための撮影条件設定プログラム。
【符号の説明】
【０１１０】
１１  タッチパネル
１２  ディスプレイ  （表示部）
１３  記憶部
２０  撮像部  
２１  ジャイロセンサ
３０，９０  機能ブロック
９１  位置検出手段
９２，検出方向制御手段
３１，９４  操作状況検出手段
３２，９３  姿勢検出手段
３３，９５  撮影条件更新手段
３４，９６  表示制御手段
３５，９７  撮影条件設定手段
３６，９８  撮影制御手段
【図１】
0006020545.tif 000002
【図２】
0006020545.tif 000003
【図３】
0006020545.tif 000004
【図４】
0006020545.tif 000005
【図５】
0006020545.tif 000006
【図６】
0006020545.tif 000007
【図７】
0006020545.tif 000008
【図８】
0006020545.tif 000009
【図９】
0006020545.tif 000010
【図１０】
0006020545.tif 000011
【図１１】
0006020545.tif 000012
【図１２】
0006020545.tif 000013